【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
エアフィルタを使用する空気清浄機において、前記エアフィルタとして、ヨウ素を含有した高分子材料を用いる抗菌フィルタを使用してなる、空気清浄機。
【請求項２】
前記高分子材料でフィルタ素材をつくり、そのフィルタ素材を用いて抗菌フィルタを形成してなる、請求項１に記載の空気清浄機。
【請求項３】
前記抗菌フィルタの下流側に、活性炭を用いて形成した活性炭フィルタを設けてなる、請求項１または２に記載の空気清浄機。
【請求項４】
前記高分子材料に、強塩基性陰イオン交換樹脂にイオン交換吸着してヨウ素を含有してなる、請求項１、２または３に記載の空気清浄機。
【請求項５】
オゾンを発生するものである、請求項１、２、３または４に記載の空気清浄機。
【手続補正２】
【補正対象書類名】明細書
【補正対象項目名】発明の名称
【補正方法】変更
【補正の内容】
【発明の名称】空気清浄機
【手続補正３】
【補正対象書類名】明細書
【補正対象項目名】０００１
【補正方法】変更
【補正の内容】
【０００１】
この発明は、空気清浄機に関するものであり、特に空気中の菌、ウィルス等を捕集、不活性化することができるエアフィルタを使用する空気清浄機に関する。
【手続補正４】
【補正対象書類名】明細書
【補正対象項目名】０００７
【補正方法】変更
【補正の内容】
【０００７】
そこで、この発明の課題は、通気抵抗を高めることなく、かつ高い捕集効率で、空気中の菌、ウィルス等を捕集、不活性化することができ、しかもオゾンによる抗菌性能の劣化を生じることもない、エアフィルタを使用する空気清浄機を提供することにある。
【手続補正５】
【補正対象書類名】明細書
【補正対象項目名】０００８
【補正方法】変更
【補正の内容】
【０００８】
そのため、請求項１に記載の発明は、エアフィルタを使用する空気清浄機において、エアフィルタとして、ヨウ素を含有した高分子材料を用いる抗菌フィルタを使用してなることを特徴とする。
【手続補正６】
【補正対象書類名】明細書
【補正対象項目名】０００９
【補正方法】変更
【補正の内容】
【０００９】
そして、フィルタ素材自体が抗菌性を有するため、後に抗菌剤を含有させる必要もなく、よって、抗菌剤の付着（吸着）によりフィルタ繊維間に目詰まりを来たして通気性が劣化することもない。それゆえ、空気を通したとき、低い通気抵抗、かつ高い捕集効率で、空気中の菌、ウィルス等を捕集、不活性化して清浄な空気を提供する。また、抗菌剤として、ヨウ素を使用するものであるから、オゾンを発生する電気集塵式空気清浄機に使用しても抗菌性能の劣化を生じない。
【手続補正７】
【補正対象書類名】明細書
【補正対象項目名】００１０
【補正方法】変更
【補正の内容】
【００１０】
請求項２に記載の発明は、請求項１に記載の空気清浄機において、前記高分子材料でフィルタ素材をつくり、そのフィルタ素材を用いて抗菌フィルタを形成してなることを特徴とする。
【手続補正８】
【補正対象書類名】明細書
【補正対象項目名】００１１
【補正方法】変更
【補正の内容】
【００１１】
そして、ヨウ素を含有した高分子材料のフィルタ素材を用いて抗菌フィルタを形成することにより、菌、ウィルス等の捕集効率をより高くする。
【手続補正９】
【補正対象書類名】明細書
【補正対象項目名】００１２
【補正方法】変更
【補正の内容】
【００１２】
請求項３に記載の発明は、請求項１または２に記載の空気清浄機において、前記抗菌フィルタの下流側に、活性炭を用いて形成した活性炭フィルタを設けてなることを特徴とする。
【手続補正１０】
【補正対象書類名】明細書
【補正対象項目名】００１４
【補正方法】変更
【補正の内容】
【００１４】
請求項４に記載の発明は、請求項１、２または３に記載の空気清浄機において、前記高分子材料に、強塩基性陰イオン交換樹脂にイオン交換吸着してヨウ素を含有してなることを特徴とする。
【手続補正１１】
【補正対象書類名】明細書
【補正対象項目名】００１５
【補正方法】変更
【補正の内容】
【００１５】
そして、高分子材料に、強塩基性陰イオン交換樹脂にイオン交換吸着してヨウ素を含有してなり、フィルタ素材自体が抗菌性を有するから、後に抗菌剤を付着（吸着）させて含有させることが不要となる。そのため、前述のように、低い通気抵抗、かつ高い捕集効率で、空気中の菌、ウィルス等を捕集、不活性化する。
【手続補正１２】
【補正対象書類名】明細書
【補正対象項目名】００１６
【補正方法】変更
【補正の内容】
【００１６】
請求項５に記載の発明は、請求項１、２、３または４に記載の空気清浄機において、オゾンを発生するものであることを特徴とする。
【手続補正１３】
【補正対象書類名】明細書
【補正対象項目名】００１７
【補正方法】変更
【補正の内容】
【００１７】
そして、オゾンに対し反応性の低いヨウ素を使用するから、オゾンを発生する空気清浄機に使用しても、オゾンによる抗菌性能の劣化を生じず、空気中の菌、ウィルス等を捕集、不活性化して、汚れた空気を清浄化する。
【手続補正１４】
【補正対象書類名】明細書
【補正対象項目名】００１８
【補正方法】変更
【補正の内容】
【００１８】
この発明によれば、フィルタ素材自体が抗菌性を有するため、後に抗菌剤を含有させることが必要でなく、抗菌剤の付着（吸着）によりフィルタ繊維間に目詰まりを来たして通気性が劣化することもないから、低い通気抵抗、かつ高い捕集効率で、空気中の菌、ウィルス等を捕集、不活性化して清浄な空気を提供することができる。
また、抗菌剤として、オゾンに対し反応性の低いヨウ素を使用するから、オゾンを発生する電気集塵式空気清浄機に使用しても、オゾンによる抗菌性能の劣化を生じない。
【手続補正１５】
【補正対象書類名】明細書
【補正対象項目名】００１９
【補正方法】変更
【補正の内容】
【００１９】
請求項２に記載の発明によれば、ヨウ素を含有した高分子材料のフィルタ素材を用いて抗菌フィルタを形成することにより、菌、ウィルス等の捕集効率をより高くすることができる。
【手続補正１６】
【補正対象書類名】明細書
【補正対象項目名】００２１
【補正方法】変更
【補正の内容】
【００２１】
請求項５に記載の発明によれば、オゾンに対し反応性の低いヨウ素を使用するから、オゾンを発生する空気清浄機に使用しても、オゾンによる抗菌性能の劣化を生じず、空気中の菌、ウィルス等を捕集、不活性化して、汚れた空気を清浄化することができる。
【手続補正１７】
【補正対象書類名】明細書
【補正対象項目名】００２２
【補正方法】変更
【補正の内容】
【００２２】
以下、図面を参照しつつ、この発明を実施するための最良の形態につき説明する。
この発明の空気清浄機で使用するエアフィルタは、抗菌剤であるヨウ素を含有した高分子材料を糸状に加工してフィルタ素材をつくり、そのフィルタ素材を用いて抗菌フィルタを形成してなるものである。
【手続補正１８】
【補正対象書類名】明細書
【補正対象項目名】００２９
【補正方法】変更
【補正の内容】
【００２９】
この発明の空気清浄機で使用するエアフィルタを得るには、前述のようにして得られる抗菌剤であるヨウ素を含有した高分子材料、たとえば、前記ヨウ素化合樹脂を、糸状に加工してフィルタ素材をつくる。
【手続補正１９】
【補正対象書類名】明細書
【補正対象項目名】００３４
【補正方法】変更
【補正の内容】
【００３４】
この発明の空気清浄機で使用するエアフィルタにおいて、高分子材料に含有させる抗菌剤として、ヨウ素を使用するが、ヨウ素は沸点が高く、加熱溶融時に揮散が少なく、またオゾン等の酸化剤に侵されにくいので、抗菌剤として好ましい。
【手続補正２０】
【補正対象書類名】明細書
【補正対象項目名】００３５
【補正方法】変更
【補正の内容】
【００３５】
この発明の空気清浄機で使用するエアフィルタにおいては、抗菌フィルタの下流側に、活性炭を用いて形成した活性炭フィルタを設けてもよい。
【手続補正２１】
【補正対象書類名】明細書
【補正対象項目名】００３８
【補正方法】変更
【補正の内容】
【００３８】
この発明は、たとえば、電気集塵式の他、フィルタ式、イオン式等の空気清浄機に使用することができ、これらの空気清浄機を設置可能な空間の空気の清浄化に適用することができる。また、空気清浄機の他、エアコン、マスク等のフィルタとして使用することができる。
【手続補正２２】
【補正対象書類名】明細書
【補正対象項目名】００４１
【補正方法】変更
【補正の内容】
【００４１】
この混練物を、約１９０℃まで加熱溶融した後、紡糸装置により、径０．３ｍｍの樹脂糸に加工してフィルタ素材をつくり、これを用いて不織布をつくり、この不織布を用いて、抗菌フィルタを形成して、この発明の空気清浄機で使用するエアフィルタを得た。